(57)【要約】【課題】簡単な構成によって、タンクの底壁部を手で支え持つようにして組立途中のパチンコ遊技機を持ち運ぶようにしてもタンクの破損を招かないパチンコ遊技機を提供すること。【解決手段】タンク７の背面７１ａを機構板１の取付面８５に当てた状態でタンク７の左右側端部（フランジ部７６，７７）を機構板１にねじ止めして構成されるパチンコ遊技機において、タンク７の背面上端部に長手方向に沿って下向き開口凹部８０を設けるとともに、機構板１に下向き開口部８０に嵌合する上向き凸部８３を設け、上向き凸部８３に下向き開口凹部８０を嵌合した状態で、左右側端部７６，７７を機構板１にねじ止めして構成される。【選択図】図４
2004081339.tif 000002
【特許請求の範囲】
【請求項１】
タンクの背面を機構板の取付面に当てた状態で前記タンクの左右側端部を前記機構板にねじ止めして構成されるパチンコ遊技機において、
前記タンクの背面上端部に長手方向に沿って下向き開口凹部を設けるとともに、前記機構板に前記下向き開口部に嵌合する上向き凸部を設け、該上向き凸部に前記下向き開口凹部を嵌合した状態で、前記左右側端部を前記機構板にねじ止めして構成されることを特徴とするパチンコ遊技機。
【請求項２】
前記タンクは、導電性を有するプラスチック製であることを特徴とする請求項１記載のパチンコ遊技機。
【請求項３】
前記タンクは、カーボン繊維入りのプラスチック製であることを特徴とする請求項２記載のパチンコ遊技機。
【発明の詳細な説明】
【０００１】
【発明の属する技術分野】
本発明は、パチンコ遊技機、特に、機構板に対するタンクの取付構造に特徴を有するパチンコ遊技機に関する。
【０００２】
【従来の技術】
パチンコ遊技機は、裏側に機構板を有しており、この機構板に、賞球の払出しを行なう球払出装置が組み付けられている。そして、球払出装置の上流には、島設備からパチンコ球の供給を受けるタンクと、このタンクから流下してくるパチンコ球を整流して球払出装置へ流下させる整流通路が設けられている。
【０００３】
従来、機構板に対するタンクの取付構造は、タンクの背面を機構板の取付面に当てた状態でタンクの左右側端部を機構板にねじ止めしただけの簡単な構造であった。
【０００４】
【発明が解決しようとする課題】
このため、パチンコ遊技機を持ち運ぶ際に、作業者が誤ってタンクの底壁部を手で支え持つようにすると、応力集中によりねじ止め箇所付近からタンクが破損してしまう場合があった。
【０００５】
本発明は、上記の如き従来の問題点に対し、簡単な構成によって、タンクの底壁部を手で支え持つようにしてもタンクの破損を招かないパチンコ遊技機を提供することを目的とする。
【０００６】
【課題を解決するための手段】
請求項１に係るパチンコ遊技機は、タンクの背面を機構板の取付面に当てた状態で前記タンクの左右側端部を前記機構板にねじ止めして構成されるパチンコ遊技機において、前記タンクの背面上端部に長手方向に沿って下向き開口凹部を設けるとともに、前記機構板に前記下向き開口部に嵌合する上向き凸部を設け、該上向き凸部に前記下向き開口凹部を嵌合した状態で、前記左右側端部を前記機構板にねじ止めして構成されることを特徴とする。
【０００７】
請求項１に係るパチンコ遊技機によると、タンクの下向き開口凹部が機構板の上向き凸部に嵌合状態にあるため、タンクの底壁部を手で支え持つようにしたとき、タンクの下向き開口凹部が機構板の上向き凸部を上方及び背面側から押圧し、応力が分散するようになることから、ねじ止め箇所付近への応力集中がなくなり、タンクの破損を防止することができる。
【０００８】
請求項２に係るパチンコ遊技機は、請求項１において、前記タンクは、導電性を有するプラスチック製であることを特徴とする。請求項２に係るパチンコ遊技機によると、タンクに導電性をもたせたことから、パチンコ遊技球に静電気が帯電しても、タンクを介してアース可能となり、静電気による電子回路の誤動作等を防止できる。
【０００９】
請求項３に係るパチンコ遊技機は、請求項２において、前記タンクは、カーボン繊維入りのプラスチック製であることを特徴とする。請求項３に係るパチンコ遊技機によると、カーボン繊維入りプラスチックは剛性が比較的低いため破損し易いが、上記の如くタンク及び機構板を構成することにより、カーボン繊維入りプラスチック製のタンクの破損を防止可能になる。
【００１０】
【発明の実施の形態】
以下、本発明の実施形態を図面に基づいて説明する。
【００１１】
図１及び図２は、全体として１つの分解斜視図を構成し、本発明の一実施形態に係るパチンコ遊技機の機構板及び機構板に組み付けられるケース類の分解斜視図である。図３は、機構板にケース類及び基板が組み付けられた状態の裏面図を示す。
【００１２】
図１〜図３において、１は、図示しない前面枠に対し開閉可能に組み付けられる機構板を表しており、機構板１は、ＡＢＳなどプラスチック製で一体成形され、中央部に、図示しない遊技盤の裏面側の組付部品を収容する窓２が形成され、全体として枠形状をしている。機構板１の右側部の上側蝶番取付部３には上側蝶番４がねじ止めされ、下側蝶番取付部５には下側蝶番６がねじ止めされ、機構板１は、上側蝶番４及び下側蝶番６により、図示しない前面枠に対して開閉可能とされる。
【００１３】
機構板１の取付面１００のタンク取付部Ａには、島設備からのパチンコ球の供給を上方から受けるタンク７がねじ止めされる。
【００１４】
機構板１の取付面１００においてタンク７の下流側に位置するタンクレール取付部Ｂには、タンク７から流下してきたパチンコ球を前後方向２列に整流するための整流通路８を有するタンクレール９がねじ止めされる。タンクレール９は上向き開口部１０を有しており、この上向き開口部１０は、上流側蓋部材１１と下流側蓋部材１２とで閉塞可能とされる。
【００１５】
タンクレール９、上流側蓋部材１１及び下流側蓋部材１２は、いずれも導電性を有するプラスチック製例えばカーボン繊維入りＡＢＳ製であり、タンクレール９はアース板金１３又はアース板金１４を介してアース可能とされる。
【００１６】
機構板１の取付面１００においてタンクレール９の下流に位置する球払出装置取付部Ｃには、タンクレール９から流下してきたパチンコ球をカウントしながら払出しを行なうとともに上流側のパチンコ球を全て排出するための球抜きを行なう球払出装置１５（図３）が嵌合手段によって組み付けられる。球払出装置１５のカウンタケース１６は、左右方向に２分割されねじ結合される左側カウンタケース１７と右側カウンタケース１８とから構成される。カウンタケース１６は、導電性を有するプラスチック製例えばカーボン繊維入りＡＢＳ製であり、アース板金１４を介してアース可能とされる。
【００１７】
機構板１の取付面１００において球払出装置１５の下流側に位置する受皿誘導樋取付部Ｄには、球払出し時に球払出装置１５から流下してくるパチンコ球を受皿（図示せず）へ誘導するとともに球抜き時に球払出装置１５から流下してくるパチンコ球を排出口１９ａへ誘導する受皿誘導樋１９がねじ止めされる。受皿誘導樋１９は、前後方向に２分割された前側受皿誘導樋２０と後側受皿誘導樋２１とから構成される。受皿誘導樋１９は、導電性を有するプラスチック製例えばカーボン繊維入りＡＢＳ製であり、下側蝶番６を介してアース可能とされる。
【００１８】
受皿誘導樋１９の取付面１９ｂには、球払出装置１５の球払出を制御する払出制御基板２２を収容する払出制御ボックス２３が組み付けられる。払出制御ボックス２３は、前後方向に２分割された前側払出制御ボックス２４と後側払出制御ボックス２５とをねじ結合により一体化して構成される。なお、符号２６は、払出制御基板２２のリセットピン、２７は、払出制御ボックス２３にねじ止めされるプリペイドカードユニットへの中継基板ケースを表している。
【００１９】
機構板１の取付面１００における上端コーナーの電源中継基板取付部Ｅには、電源中継基板２８を収容する電源中継基板ケース２９が組み付けられる。電源中継基板ケース２９は、前後方向に２分割された前側電源中継基板ケース３０と後側電源中継基板ケース３１とをねじ結合により一体化して構成される。
【００２０】
機構板１の取付面１００における下端の電源基板取付部Ｆには、電源基板３２を収容する電源基板ケース３３が組み付けられる。電源基板ケース３３は、前後方向に２分割された前側電源基板ケース３４と後側電源基板ケース３５とを嵌合手段により一体化して構成される。
【００２１】
機構板１の取付面１００における下部の基板取付部Ｇには、基板ユニットベース３６が組み付けられる。基板ユニットベース３６には、基板ユニットカバー３７及び配線カバー３８がねじ止めされ、基板ユニットカバー３７に、主基板（図示せず）を収容する主基板ケース４０が組み付けられる。主基板ケース４０は、前後方向に２分割された前側主基板ケース４１と後側主基板ケース４２とを一体化して構成される。
【００２２】
機構板１の取付面１００の左側部には、上側軸受部４３と下側軸受部４４とが形成されており、役物カバー４５の左側部に形成された上側軸部及び下側軸部（図２には現れていない。）がそれぞれ上側軸受部４３及び下側軸受部４４に回動自在に保持され、役物カバー４５は、機構板１の窓２を開閉する。役物カバー４５は、役物カバー４５の右側部に形成された弾性係止爪４５ａが機構板１の右側部に形成された係止孔４６に係止されることによって閉状態に保持される。
【００２３】
機構板１の取付面１００とは反対側の面における下部の入賞球通路取付部Ｈには、入賞球通路ケース４７が組み付けられる。入賞球通路ケース４７は、前後方向に２分割された入賞球通路ケース本体４８と入賞球通路ケース板４９とを一体化して構成される。入賞球通路ケース４８は、導電性を有するプラスチック製例えばカーボン繊維入りＡＢＳ製である。
【００２４】
機構板１の下部には、受皿に通じる貫通孔５０が形成されており、この貫通孔５０に球出口防犯板金５１が挿通される。なお、符号５２及び５３は、それぞれ配線押さえ部材を表している。
【００２５】
図４は、機構板１に対するタンク７の組付方法を説明するための組付前の斜視図、図５は、組付後の斜視図、図６は、タンク７の部分切欠側面図を示す。
【００２６】
図４〜図６において、タンク７は、導電性を有するプラスチック製例えばカーボン繊維入りＡＢＳ製である。タンク７は、島設備からのパチンコ球を貯留する袋状のタンク本体部７１を有し、このタンク本体部７１の底壁部７２に、貯留したパチンコ球をタンクレール９へ誘導する開口部７３が形成されている。
【００２７】
タンク本体部７１の左右側面７４，７５に、フランジ部７６，７７が一体に延設されている。各フランジ部７６，７７は、タンク本体部７１の前後方向中央部のやや背面寄りに垂設され、上下方向のねじ挿通孔７８，７９を有している。
【００２８】
タンク本体部７１の背面上端部に、長手方向（左右方向）に沿った下向き開口凹部８０が延設されている。
【００２９】
機構板１の取付面１００のタンク取付部Ａには、左右端部にタンク固定面８１，８２が、上端部に上向き凸部８３が、下端部にタンク受面８４がそれぞれ延設されている。
【００３０】
各タンク固定面８１，８２は、それぞれタンク７のフランジ部７６，７７と対向して形成されている。
【００３１】
上向き凸部８３は、タンク７の下向き開口凹部８０に嵌合可能に形成されている。
【００３２】
タンク受面８４は、タンク本体部７１の底壁部７２の一部（背面側）７２ａに対応した形状を有しており、タンク本体部７１を下方から支持可能に形成されている。
【００３３】
機構板１のタンク取付部Ａにタンク７を組み付ける作業は、まず、図４及び図６に示すようにタンク７を機構板１の上方に配し、タンク７の下向き開口凹部８０を機構板１の上向き凸部８３に嵌合させる。この嵌合時、タンク７の底壁部７２の一部７２ａは機構板１のタンク受面８４で支持され、また、タンク７の各フランジ部７６，７７は、機構板１の各タンク固定面８１，８２と対向している。次に、ねじ９０を各フランジ部７６，７７のねじ挿通孔７８，７９の下端部に挿通し、タンク固定面８１，８２にねじ込むようにする。ここで、フランジ部７６は、アース板金１３を介してタンク固定面８１に固定される。このような作業により、図５に示すようにタンク７が機構板１に組み付けられた状態となる。
【００３４】
パチンコ遊技機を持ち運ぶときに、作業者が誤ってタンク７の底壁部７２を手で支え持つ場合があり得る。このような場合、タンク７の下向き開口凹部８０が機構板１の上向き凸部８３と嵌合状態にあるため、タンク７の底壁部７２を手で支え持つようにしたとき、図６に矢印ａ，ｂで示すようにタンク７の下向き開口凹部８０の天板部８０ａ及び背面部８０ｂが機構板１の上向き凸部８３を上方及び背面側から押圧し、タンク７の応力が分散するようになる。このため、ねじ止め箇所付近つまりフランジ部７６，７７への応力集中がなくなり、タンク７の破損を防止することができる。
【００３５】
以上説明したように、本実施形態に係るパチンコ遊技機は、タンク７の背面７１ａを機構板１の取付面８５に当てた状態でタンク７の左右側端部（フランジ部７６，７７）を機構板１にねじ止めして構成されるパチンコ遊技機において、タンク７の背面上端部に長手方向に沿って下向き開口凹部８０を設けるとともに、機構板１に下向き開口部８０に嵌合する上向き凸部８３を設け、上向き凸部８３に下向き開口凹部８０を嵌合した状態で、左右側端部７６，７７を機構板１にねじ止めして構成される。このため、タンク７の下向き開口凹部８０が機構板１の上向き凸部８３と嵌合状態にあることから、作業者が誤ってタンク７の底壁部７２を手で支え持つようにしてパチンコ遊技機を持ち運ぶときに、タンク７の下向き開口凹部８０の天板部８０ａ及び背面部８０ｂが機構板１の上向き凸部８３を上方及び背面側から押圧し、応力が分散するようになるため、ねじ止め箇所付近つまりフランジ部７６，７７への応力集中がなくなり、タンク７の破損を防止することができる。
【００３６】
また、タンク７は、導電性を有するプラスチック製であるため、パチンコ遊技球に静電気が帯電しても、タンク７を介してアース可能となり、静電気による電子回路の誤動作等を防止できる。
【００３７】
また、タンク７は、カーボン繊維入りのプラスチック製である。カーボン繊維入りプラスチックは剛性が比較的低いため破損し易いが、上記の如くタンク７及び機構板１を構成することにより、カーボン繊維入りプラスチック製のタンク７の破損を防止可能になる。
【００３８】
【発明の効果】
本発明のパチンコ遊技機によると、簡単な構成によって、作業者が誤ってタンクの底壁部を手で支え持つようにしてパチンコ遊技機を持ち運ぶようにしてもタンクの破損を招かなくなる。
【図面の簡単な説明】
【図１】図２と共に全体として１つの分解斜視図を構成し、本発明の一実施形態に係るパチンコ遊技機の機構板及び機構板に組み付けられるケース類の分解斜視図である。
【図２】図１と共に全体として１つの分解斜視図を構成し、本発明の一実施形態に係るパチンコ遊技機の機構板及び機構板に組み付けられるケース類の分解斜視図である。
【図３】機構板にケース類及び基板が組み付けられた状態の裏面図である。
【図４】機構板に対するタンクの組付方法を説明するための組付前の斜視図である。
【図５】組付後の斜視図である。
【図６】タンクの部分切欠側面図である。
【符号の説明】
１　　機構板
７　　タンク
７１ａ　　背面
７２　　底壁部
７６，７７　　フランジ部（左右側端部）
８０　　下向き開口凹部
８３　　上向き凸部
８５　　取付面
【図１】
2004081339.tif 000003
【図２】
2004081339.tif 000004
【図３】
2004081339.tif 000005
【図４】
2004081339.tif 000006
【図５】
2004081339.tif 000007
【図６】
2004081339.tif 000008